(57)【要約】【課題】ホームドア装置の戸先の当接状態の調整に係る作業者の肉体的な負担を軽減するとともに、調整作業の能率を向上させるホームドア装置を提供する。【解決手段】扉体４を進退させて、通路を開閉する引き戸式のホームドア装置１であって、扉体４の戸先に配置された当接部材５と、当接部材５の扉体４に対する取り付け角度を変更して、当接部材５を扉体４に固定する角度調整機構とを備える。当接部材５は上下方向に離隔された２箇所以上の支持点において、扉体４に支持され、角度調整機構は、支持点の少なくとも１箇所を扉体４の進退方向に移動させる支持点調整機構を備える。【選択図】図１
2018008699.tif 000002
【特許請求の範囲】
【請求項１】
扉体を進退させて、通路を開閉する引き戸式のホームドア装置であって、
前記扉体の戸先に配置された当接部材と、
前記当接部材の前記扉体に対する取り付け角度を変更して、前記当接部材を前記扉体に固定する角度調整機構とを備える
ホームドア装置。
【請求項２】
前記当接部材は上下方向に離隔された２箇所以上の支持点において、前記扉体に支持されるとともに、
前記角度調整機構は、前記２箇所以上の支持点のうち少なくとも１箇所を前記扉体の進退方向に移動させる支持点調整機構を備える
請求項１に記載のホームドア装置。
【請求項３】
前記支持点調整機構は、前記扉体の戸先側の端部に一端が固定されて、戸先に向かって突出するボルトと、
前記ボルトと螺合して、前記ボルト回りに回転することによって、前記扉体の進退方向に移動する調整ナットと、
前記調整ナットよりも戸先に寄った位置に配置されて、前記ボルトと螺合する固定ナットを備え、
前記当接部材は、前記支持点に穿設された挿通穴に前記ボルトを挿通されて、前記調整ナットと前記固定ナットの間で挟持される
請求項２に記載のホームドア装置。
【請求項４】
前記支持点調整機構は、前記扉体に固定されたタブ板を備えるとともに、
前記タブ板には前記扉体の進退方向に長い長穴が穿設されていて、
前記当接部材の前記支持点は、前記長穴に挿通されるボルトと前記ボルトと螺合するナットによって前記タブ板に固定される
請求項２に記載のホームドア装置。
【請求項５】
２枚の前記タブ板が、前記扉体の戸先側の端部に、上下に間隔を空けて配置されるとともに、
前記タブ板は、一端が固定されて、他端が戸先に向かって突出していて、
前記長穴は、前記タブ板を、前記扉体の上下方向に貫く方向に穿設されていて、
前記当接部材は、２枚の前記タブ板の間に配置されていて、
前記ボルトは、前記当接部材に固定されていて、両端が前記当接部材の上方及び下方に突出している
請求項４に記載のホームドア装置。
【請求項６】
前記タブ板は、長辺を前記扉体の上下方向に平行に配置するとともに、前記長辺の一方が前記扉体に固定された、矩形の平板であって、
前記タブ板には、複数個の前記長穴が、上下に間隔を空けて配置されていて、
前記長穴は、前記タブ板を、前記扉体の進退方向に直交する方向に貫く方向に穿設されている
請求項４に記載のホームドア装置。
【請求項７】
前記角度調整機構は、一端が前記扉体に固定されて戸先方向に延びる水平部材を備え、
前記支持点調整機構は、前記水平部材の長さを変更する伸縮機構であって、
前記当接部材は、前記水平部材の戸先側の先端において、前記水平部材に支持されている
請求項２に記載のホームドア装置。
【発明の詳細な説明】
【技術分野】
【０００１】
この発明は、引き戸式のホームドア装置に関する。
【背景技術】
【０００２】
ホームドア装置は鉄道駅のプラットホームの縁部に設置されて、列車の停車中に乗車通路を開放して乗降客の列車への出入りを可能にし、それ以外の場合には乗車通路を閉鎖して、乗降客の線路への転落を防止する装置である。ホームドア装置の形式の１つとして、戸袋と戸袋に進退自在に支持された扉体を備える引き戸式のホームドア装置が知られている。引き戸式のホームドア装置は、扉体を戸袋に対して進退させる駆動装置を備えている。一般に、プラットホームにおいては、複数のホームドア装置が直列に配列される。また、２台のホームドア装置は乗車通路を間に挟んで配置され、乗車通路の閉鎖時には、相対するホームドア装置の扉体の戸先が乗車通路の中央において、互いに当接する。
【０００３】
ホームドア装置の戸袋はプラットホームの床面にアンカーボルト等を使って固定されるが、プラットホームの床面は必ずしも水平ではない。長さ方向において、うねりが生じている場合がある。プラットホームの床面に長さ方向のうねりがある場合に、プラットホームの床面に戸袋を固定すると、ホームドア装置は傾いた状態で固定される。このような場合には、乗車通路の閉鎖時に、乗車通路を間に挟んで設置された２台のホームドア装置の扉体の戸先は均等に当接しない。つまり、戸先の間に当接しない部分が生じる。戸先が均等に当接しなければ、扉体が安定しないし、美観も損ねる。
【０００４】
このような不都合を解消する手段として、床面と戸袋の間に、設置調整部材（特許文献１）や調整手段（特許文献２）を備えることが知られている。設置調整部材等は、要するに、ねじを使って戸袋の傾きを調整して、床面の傾きに関係なく、戸袋を水平に据え付ける装置である。
【先行技術文献】
【特許文献】
【０００５】
【特許文献１】特許第５５７０２４９号公報
【特許文献２】特許第５３９０９４９号公報
【発明の概要】
【発明が解決しようとする課題】
【０００６】
特許文献１及び特許文献２の記載からは、設置調整部材等の調整をホームドア装置の据え付け前に行うのか、据え付け後に行うのかは定かではない。仮に、据え付け前に調整するとしたら、その時点では戸先の当接状態を確認することができないから、戸先の当接状態の如何によっては、ホームドア装置の据え付け後に、再度、設置調整部材等を調整する必要が生じる。ホームドア装置は相当の重量物であるので、ホームドア装置の据え付け後に設置調整部材等を調整するには、相当の腕力を必要とする。また、設置調整部材等は戸袋の下方の狭い空間に配置されているから、設置調整部材等を調整する作業者は不自然な姿勢を強いられる。このため、設置調整部材等の調整は楽な作業ではない。
【０００７】
この発明は、このような背景に基づいてなされたものであり、ホームドア装置の戸先の当接状態の調整に係る作業者の肉体的な負担を軽減するとともに、調整作業の能率を向上させるホームドア装置を提供することを目的とする。
【課題を解決するための手段】
【０００８】
上記課題を解決するために、この発明に係るホームドア装置は、扉体を進退させて、通路を開閉する引き戸式のホームドア装置であって、扉体の戸先に配置された当接部材と、当接部材の扉体に対する取り付け角度を変更して、当接部材を扉体に固定する角度調整機構とを備えるものである。
【発明の効果】
【０００９】
この発明によれば、扉体や戸袋を動かさないで、扉体の戸先が相手方の戸先に隙間なく当接するように調整できる。また、ホームドア装置を設置場所に固定した後で、隣接配置されたホームドア装置の戸先の当接状態を確認しながら、調整作業を行えるので、いわゆる後戻り作業が生じない。そのため、作業者の肉体的負担が軽減されるとともに、調整作業の能率が向上される。
【図面の簡単な説明】
【００１０】
【図１】本発明の各実施形態に係るホームドア装置の全体的な構成を示す外形図であり、（ａ）は複数のホームドア装置を配列した状態を、（ｂ）及び（ｃ）は当接部材を扉体に対して傾けた状態を、それぞれ示している。
【図２】本発明の第１の実施形態に係るホームドア装置の構成を示す説明図であり、（ａ）は全体構成を示す外形図、（ｂ）はホームドア装置を（ａ）のＡ−Ａ’線で切断した部分断面図である。
【図３】図１に示したホームドア装置において、当接部材の取り付け角度を調整する手順を説明する説明図であり、該手順を時系列に従って、（ａ）〜（ｄ）に分けて示している。
【図４】本発明の第２の実施形態に係るホームドア装置の構成を示す説明図であり、（ａ）は全体構成を示す外形図、（ｂ）はホームドア装置を（ａ）のＢ−Ｂ’線で切断した部分断面図、（ｃ）はホームドア装置を（ａ）のＣ方向から見た矢視図である。
【図５】本発明の第３の実施形態に係るホームドア装置の構成を示す説明図であり、（ａ）は全体構成を示す外形図、（ｂ）は当接部材をフレームから取り外した状態を示す説明図である。
【図６】図５に示したホームドア装置を図５（ａ）のＤ−Ｄ’線で切断した部分断面図であり、（ａ）は元の状態、（ｂ）は当接部材をフレームに対して左方向にずらした状態を、それぞれ示している。
【図７】本発明の第４の実施形態に係るホームドア装置の構成を示す説明図であり、（ａ）は全体構成を示す外形図、（ｂ）は上部水平部材を一部断面図視して示す説明図である。
【図８】ホームドア装置の変形例の構成を示す外形図であり、（ａ）は第１の観点の実施形態の変形例、（ｂ）は第２の実施形態の変形例を、それぞれ示す。
【図９】ホームドア装置の別の変形例の構成を示す外形図であり、図２（ｂ）に対応する部分断面図である。
【発明を実施するための形態】
【００１１】
以下、この発明に係るホームドア装置の実施形態について図面を参照しながら詳細に説明する。なお、各図面においては、同一または同等の部分に同一の符号を付している。
【００１２】
（全体構成）
図１（ａ）は、この発明の実施形態に係るホームドア装置１の全体構成を示す外形図である。ここに示された全体構成は、後述する各実施形態及び変形例において共通する。図１（ａ）に示すように、ホームドア装置１は、鉄道駅のプラットホームの床面２に設置される。ホームドア装置１は、床面２に固定された戸袋３と、戸袋３に、図の左右方向に進退自在に支持される扉体４とを備える。扉体４は、戸袋３の内部に配置された図示しない駆動装置で駆動されて、戸袋３から進退する。扉体４の戸先には当接部材５が取り付けられている。
【００１３】
なお、図１（ａ）においては、３台のホームドア装置１が示されていて、それぞれに符号１ａ，１ｂ，１ｃを付している。ホームドア装置１ａは図１において中央に配置され、２枚の扉体４を備えている。ホームドア装置１ｂとホームドア装置１ｃは、それぞれ、ホームドア装置１ａの左側と右側に配置され、扉体４を１枚だけ備えている。ホームドア装置１ａとホームドア装置１ｂ，１ｃの差異は、扉体４の装備数だけであって、他の構成は基本的に同一である。以下の説明においては、ホームドア装置１ａ〜１ｃを区別する必要がない場合には、ホームドア装置１で、ホームドア装置１ａ〜１ｃを代表させる。
【００１４】
さて、図１においては、ホームドア装置１ａとホームドア装置１ｂの間の通路を閉鎖した状態を示している。また、ホームドア装置１ａとホームドア装置１ｃの間の通路は、閉鎖状態から開放状態に移行する途中の状態を示している。このように、通路を閉鎖する場合は、隣接するホームドア装置１の戸袋３から迫り出された２枚の扉体４が通路の中間点で出会い、２枚の当接部材５が互いに当接する。また、通路を開放する場合は、隣接するホームドア装置１の戸袋３から迫り出された２枚の扉体４が、それぞれ、元の戸袋３に戻される。なお、当接部材５は、本来、扉体の一部であるが、本明細書においては、扉体から当接部材５を取り除いた残りの部分を扉体４と呼ぶことにする。
【００１５】
ホームドア装置１は、図示しない角度調整機構を備えている。角度調整機構は、当接部材５の扉体４に対する取り付け角度を自在に変更して、当接部材５を扉体４に固定する機構である。そのため、図１（ｂ）や図１（ｃ）に示すように、ホームドア装置１においては、当接部材５の扉体４に対する取り付け角度を変更することができる。仮に隣接するホームドア装置１（例えば、ホームドア装置１ａとホームドア装置１ｂ）が相対的に傾いていても、当接部材５の扉体４に対する取り付け角度を調整することによって、一方の当接部材５を相手方の当接部材５に隙間なく当接させることができる。なお、角度調整機構の具体的な構成と作用については、各実施形態及び変形例の説明において詳述する。
【００１６】
（第1の実施形態）
図２（ａ）は、この発明の第１の実施形態に係るホームドア装置１の構成を示す外形図である。図２（ａ）に示すように、第１の実施形態に係る当接部材５は、ゴム製のブロック６と、ブロック６を上下に貫く芯材７とを備えている。芯材７は図２（ｂ）に示すような矩形断面を有する鋼製の帯板であって、芯材７の上下端は、ブロック６の上方及び下方に突出している。ブロック６は、図２（ｂ）に示すように、横断面において略半円形をなす本体部６ａと本体部６ａから突出する一対の裾部６ｂとを備え、本体部６ａと一対の裾部６ｂの間に凹部６ｃを形成している。また、扉体４の端部は凹部６ｃに収まるように取り付けられている。図１（ｂ）及び図１（ｃ）に示したように、当接部材５を扉体４に対して傾けても、扉体４の端部は、なおブロック６の凹部６ｃの中に収まる。そのため、当接部材５を扉体４に対して傾けても、当接部材５と扉体４の間の隙間は外部からは見えない。その結果、隙間に手指等が差し込まれることがない。また、美観も向上する。
【００１７】
図２（ａ）に示すように、扉体４の戸先側（当接部材５が取り付けられる側）の端部には２本のボルト８が、上下に間隔を開けて、先端を戸先に向けて立設されている。芯材７の上端部及び下端部には図示しない丸穴が穿設されていて、ボルト８はこの丸穴に挿通されている。また、ボルト８には、固定ナット９と調整ナット１０が螺合されている。芯材７は固定ナット９と調整ナット１０の間に挟持されて、ボルト８に固定されている。なお、図２（ａ）において、符号１１、１２を付した部材は、ブロック６の上面と下面に接して、扉体４に取り付けられるカバーである。カバー１１，１２はブロック６と同じゴム材で形成されている。ここでは、ボルト８等を示すために、カバー１１，１２を取り外した状態を示している。
【００１８】
第１の実施形態においては、ボルト８、固定ナット９及び調整ナット１０によって、角度調整機構が構成される。また、ボルト８と調整ナット１０によって、支持点調整機構が構成される。ここで、角度調整機構及び支持点調整機構の作用について説明する。まず図３（ａ）に示すように、固定ナット９と当接部材５をボルト８から抜き取る。つまり当接部材５を扉体４から取り外す。次に図３（ｂ）に示すように、上側のボルト８と螺合する調整ナット１０を回して、調整ナット１０を戸先側（図において左側）に移動させる。次に図３（ｃ）に示すように、当接部材５をボルト８に取り付けて、固定ナット９を締め上げて、当接部材５を扉体４に固定する。以上で、当接部材５は上端が戸先側に傾いた状態で、扉体４に固定される。最後に、カバー１１、１２を取り付けて、当接部材５の取り付け角度の調整と固定が完了する。
【００１９】
なお、図３（ｂ）に示す状態において、上側のボルト８と螺合する調整ナット１０を扉体４側（図において右側）に移動させれば、当接部材５の上端は扉体４側に傾く。上側のボルト８と螺合する調整ナット１０の代わりに、下側のボルト８と螺合する調整ナット１０を図の左又は右に移動させて、当接部材５の取り付け角度を調整することもできる。また、図３（ｂ）に示す状態において、当接部材５をボルト８に取り付けて、相手方の当接部材５との接触状態を確認しながら、調整ナット１０を動かしても良い。また、この例では、ブロック６を上下２点で支持する構成例を示したが、追加の支持部を設けて、ブロック６の中間点を補強しても良い。
【００２０】
（第２の実施形態）
この発明の実施形態に係るホームドア装置１は、前記第１の実施形態に示されたホームドア装置１に限定されない。図４に示すように構成されても良い。図４（ａ）及び図４（ｂ）に示すように、第２の実施形態に係るホームドア装置１の当接部材５は、第１の実施形態の場合と同様にブロック６を備えるが、芯材７の代わりに芯棒１３を備える。芯棒１３はブロック６を上下に貫く鋼製の丸棒であって、上下端部、つまりブロック６の上方及び下方に突出する部位に、図示しない雄ねじが形成されている。また、扉体４の戸先側（当接部材５が取り付けられる側）の端部には、２枚のタブ板１４が上下に間隔を開けて固定されている。図４（ｃ）に示すようにタブ板１４は矩形の鋼板であって、長穴１４ａが穿設されている。長穴１４ａは、タブ板１４を扉体４の上下方向に貫いている。長穴１４ａには芯棒１３が挿通されている。なお、図４（ｃ）においては、長穴１４ａを見せるために固定ナット１５を省いている。また、図４（ａ）に示すように、タブ板１４の上方あるいは下方において、芯棒１３の端部には固定ナット１５が螺合されている。このように構成されているので、２個の固定ナット１５を上下方向から締め上げることによって、当接部材５は扉体４に固定される。
【００２１】
さて、上記第２の実施形態に係るホームドア装置１においては、タブ板１４と固定ナット１５によって、角度調整機構が構成される。また、タブ板１４に穿設された長穴１４ａが支持点調整機構として機能する。この角度調整機構による角度調整は、概ね、次の手順で実施される。まず、図４（ａ）に示す状態において、上下の固定ナット１５を緩める。固定ナット１５を緩めると、当接部材５の芯棒１３を長穴１４ａの中で自由に移動させることができる。芯棒１３を長穴１４ａの中で移動させて任意の角度に傾けて、固定ナット１５を締め上げれば、芯棒１３は当該任意の角度で固定される。つまり、当接部材５は当該任意の角度で固定される。そして、カバー１１、１２を取り付ければ、当接部材５の取り付け角度の調整と固定は完了する。
【００２２】
（第３の実施形態）
角度調整機構を備えるホームドア装置１は、図５に示すように構成されても良い。図５（ａ）に示すように、第３の実施形態に係るホームドア装置１の扉体４は、戸先側の端部に固定されたフレーム１６を備えている。フレーム１６は、鋼管を「コ」字形に曲げて形成されていて、図５（ｂ）に示すように、フレーム１６の縦方向に延びる部位には、タブ板１６ａが固定されている。このように、タブ板１６ａは矩形の平板であって、長辺の一方がフレーム１６を介して扉体４に固定されている。タブ板１６ａには３個の横長の長穴１６ｂが穿設されている。３個の長穴１６ｂは、上下に間隔を開けて配置されていて、長穴１６ｂは、扉体４の進退方向に直交する方向にタブ板１６ａを貫通している。また、当接部材５はゴム製の部材であって、図６（ａ）に示すような、全体として「フラスコ」形の断面形を有していて、フレーム１６とタブ板１６ａを「フラスコ」の中に包むように、フレーム１６に取り付けられている。また、当接部材５は、ボルト１７とナット１８でフレーム１６に固定されている。図５（ｂ）に示すように、当接部材５には３個の丸穴５ａが穿設されている。丸穴５ａはボルト１７が挿通されるボルト穴であって、タブ板１６ａの長穴１６ｂに対応する位置に配置されている。また、図６（ａ）に示すように、ボルト１７は、当接部材５の一方の側から、丸穴５ａに挿通され、長穴１６ｂを通って、当接部材５の他方側の丸穴５ａに挿通されて、他方側の丸穴５ａの外側でナット１８と螺合している。
【００２３】
この第３の実施形態に係るホームドア装置１においては、長穴１６ｂ、ボルト１７及びナット１８によって角度調整機構が構成される。また、長穴１６ｂが支持点調整機構として機能する。図６（ａ）に示す状態において、ナット１８を緩めると、ボルト１７を長穴１６ｂの中で自由に移動させることができる。図６（ａ）においてボルト１７を長穴１６ｂに対して、左方向に移動させると、図６（ｂ）に示すように、当接部材５はフレーム１６に対して、左方向に移動する。３個のナット１８を全て緩めれば、３本のボルト１７をそれぞれ長穴１６ｂに対して自由に移動させることができるから、当接部材５をフレーム１６に対して傾けることができる。そして、その傾いた位置で３個のナット１８を全て締めれば、当接部材５はフレーム１６に対して傾いた位置で固定される。なお、本例では、扉体４の先端にコの字の鋼管からなるフレーム１６を有する構成例を示したが、フレーム１６が扉体４の全体を構成するようにしてもよい。
【００２４】
（第４の実施形態）
角度調整機構を備えるホームドア装置１は、図７に示すように構成されても良い。図７（ａ）に示すように、第４の実施形態に係るホームドア装置１の扉体４は、戸先側の端部に上下に間隔を開けて固定された上部水平部材１９と下部水平部材２０を備えている。また、当接部材５は、上部水平部材１９と下部水平部材２０の先端において、上部水平部材１９と下部水平部材２０にそれぞれ支持されている。
【００２５】
図７（ａ）に示すように、当接部材５の上端部は上部ボルト２１と図示しないナットで上部水平部材１９の先端に締結されている。当接部材５の下端部は下部ボルト２２と図示しないナットで下部水平部材２０の先端に締結されている。なお、当接部材５の下端部には長穴５ｂが形成されていて、下部ボルト２２は長穴５ｂに挿通されている。
【００２６】
上部水平部材１９は、扉体４に固定された基部部材１９ａ、戸先側にあって当接部材５と結合される先端部材１９ｂと、基部部材１９ａと先端部材１９ｂを接続する接続部材１９ｃを備える。基部部材１９ａはステンレス鋼を素材とする管材であって、図７（ｂ）に示すように、戸先側の端部（接続部材１９ｃに挿入される部位）には、左ねじ（雄ねじ）１９ｄが形成されている。先端部材１９ｂは、ステンレス鋼を素材とする、基部部材１９ａと同径の管材であって、図７（ｂ）に示すように、扉体４側の端部（接続部材１９ｃに挿入される部位）には、右ねじ（雄ねじ）１９ｅが形成されている。接続部材１９ｃは一種のナットである。接続部材１９ｃの基部部材１９ａが挿入される部位には図示しない左ねじ（雌ねじ）が形成されていて、基部部材１９ａに形成された左ねじ（雄ねじ）１９ｄと螺合している。また、接続部材１９ｃの先端部材１９ｂが挿入される部位には図示しない右ねじ（雌ねじ）が形成されていて、先端部材１９ｂに形成された右ねじ（雄ねじ）１９ｅと螺合している。
【００２７】
このように構成されているので、接続部材１９ｃを上部水平部材１９の長軸回りに回転させると、基部部材１９ａと先端部材１９ｂは、接続部材１９ｃに対して逆方向に進退する。つまり、基部部材１９ａが接続部材１９ｃに対して右方向に移動する時、先端部材１９ｂは接続部材１９ｃに対して左方向に移動する。また、基部部材１９ａが接続部材１９ｃに対して左方向に移動する時、先端部材１９ｂは接続部材１９ｃに対して右方向に移動する。そのため、接続部材１９ｃを上部水平部材１９の長軸回りに回転させると、上部水平部材１９の長さは伸縮する。要するに、上部水平部材１９は伸縮機構を備えている。なお、下部水平部材２０は、基部部材１９ａ及び先端部材１９ｂと同径のステンレス鋼を素材とする管材の単体であって、伸縮機構は備えていない。
【００２８】
この第４の実施形態に係るホームドア装置１においては、上部水平部材１９に形成された前述の伸縮機構が支持点調整機構として機能し、上部水平部材１９と下部水平部材２０が角度調整機構を構成する。すなわち、ボルト２１，２２と螺合する図示しないナットを緩めて、接続部材１９ｃを長軸回りに回転させれば、当接部材５の扉体４に対する傾きを変更することができる。上部水平部材１９の長さを伸ばせば、当接部材５の上端は戸先側に傾く。上部水平部材１９の長さを縮めれば、当接部材５の上端は扉体４側に傾く。その後に、ボルト２１，２２と螺合する図示しないナットを締めれば、当接部材５は変更された傾きで固定される。
【００２９】
（変形例）
第１及び第２の実施形態において、当接部材５の上端と下端の両方に、支持点調整機構を備える例を示したが、支持点調整機構は上端あるいは下端の一方に配置されていれば良い。例えば図８（ａ）に示すように、前記第１の実施形態に係るホームドア装置１において、当接部材５の下端に配置されたボルト８、固定ナット９、調整ナット１０に代えて、ヒンジ２３を介して、当接部材５が扉体４に支持されるようにしても良い。なお、ヒンジ２３は図の紙面に垂直な軸回りに自在に回転する。また、例えば図８（ｂ）に示すように、前記第２の実施形態に係るホームドア装置１において、当接部材５の下端に配置されたタブ板１４に代えて、ヒンジ２３を介して、当接部材５が扉体４に支持されるようにしても良い。また、図８（ａ）と図８（ｂ）に示した例において、ヒンジ２３を当接部材５の上端側に配置するようにしても良い。また、当接部材５をその高さ方向における中間点で回転自在に支持するとともに、支持点調整機構を当接部材５の上下端に配置して、当接部材５の傾きを調整するようにしても良い。
【００３０】
第１及び第２の実施形態において、ブロック６に裾部６ｂを設けて、ブロック６と扉体４の間の隙間に手指等が入らないようにする例（図２（ｂ）、図４（ｂ））を例示したが、図９に示すように、ブロック６の本体部６ａと扉体４の間にクッション部６ｄを配置するようにしても良い。クッション部６ｄは、例えば、軟質のゴムや樹脂材料で形成された柔軟な部材である。ブロック６の扉体４の取り付け角度が変化して、ブロック６と扉体４の間の間隔が変化しても、クッション部６ｄはそれに追随して変形できるので、ブロック６と扉体４の間には隙間が生じない。
【００３１】
以上、この発明の各実施形態と変形例を説明したが、これらは、この発明の具体的実施態様を例示するものであって、この発明の技術的範囲を画すものではない。この発明は特許請求の範囲に記述された技術的思想の限りにおいて、自由に変形、応用あるいは改良して実施することができる。
【００３２】
例えば、各実施形態と変形例に示した各種の機構は、角度調整機構の例示であって、この発明に係る角度調整機構はこれらには限定されない。角度調整機構は、当接部材の扉体に対する取り付け角度を変更して、当接部材を前記扉体に固定する機構であれば、各種の機構を選択することができる。
【００３３】
戸袋３や扉体４の形状や構成は例示であって、例示されたものには限定されない。第３の実施形態（図５）において、扉体４にフレーム１６が取り付けられる例を示したが、フレーム１６が扉体４の全体を構成するようにしても良い。つまり、扉体４の全体を鋼管で構成して、扉体４を構成する鋼管に当接部材５を取り付けるようにしても良い。
【００３４】
第４の実施形態（図７）についても同様である。扉体４が上部水平部材１９と下部水平部材２０だけで構成されても良い。この場合、上部水平部材１９と下部水平部材２０の間に垂直部材が配置されても良い。
【００３５】
また、第４の実施形態における伸縮機構は、ねじを利用するものには限定されない。もっと簡単な機構を採用しても良い。例えば、基部部材１９ａと先端部材１９ｂを入れ子にして、つまり両者を望遠鏡の鏡筒のように進退自在に組み合わせて、長さの調整が終わったら、両者の間の隙間に樹脂を充填して固定するようにしても良い。
【００３６】
また、上部水平部材１９に代えて、下部水平部材２０に伸縮機構を備えるようにしても良い。上部水平部材１９と下部水平部材２０の両方に伸縮機構を備えるようにしても良い。
【００３７】
第３の実施形態（図５、図６）において、丸穴５ａ、長穴１６ｂ、ボルト１７及びナット１８を、それぞれ３個ずつ備える例を示したが、これらの数は任意である。２個ずつ備えるようにしても良い。４個以上備えるようにしても良い。複数の長穴１６ｂのうち、いずれか１つを丸穴にしても良い。
【００３８】
また。図６に示された当接部材５の形状は例示である。第３の実施形態にかかる当接部材５の断面形状は「フラスコ形」には限定されない。当接部材５の断面形は、フレーム１６とタブ板１６ａを包むような形状には限定されない。断面形において、フレーム１６とタブ板１６ａが当接部材５の外部にあっても良い。いずれにせよ、当接部材５の形状は任意に選ぶことができる。
【符号の説明】
【００３９】
１（１ａ〜 １ｃ）ホームドア装置、２  床面、３  戸袋、４  扉体、５  当接部材、５ａ  丸穴、５ｂ  長穴、６  ブロック、６ａ  本体部、６ｂ  裾部、６ｃ  凹部、６ｄ  クッション部、７  芯材、８  ボルト、９  固定ナット、１０  調整ナット、１１  カバー、１２  カバー、１３  芯棒、１４  タブ板、１４ａ  長穴、１５  固定ナット、１６  フレーム、１６ａ  タブ板、１６ｂ  長穴、１７  ボルト、１８  ナット、１９  上部水平部材、１９ａ  基部部材、１９ｂ  先端部材、１９ｃ  接続部材、１９ｄ  左ねじ（雄ねじ）、１９ｅ  右ねじ（雄ねじ）、２０  下部水平部材、２１  上部ボルト、２２  下部ボルト、２３  ヒンジ
【図１】
2018008699.tif 000003
【図２】
2018008699.tif 000004
【図３】
2018008699.tif 000005
【図４】
2018008699.tif 000006
【図５】
2018008699.tif 000007
【図６】
2018008699.tif 000008
【図７】
2018008699.tif 000009
【図８】
2018008699.tif 000010
【図９】
2018008699.tif 000011
【手続補正書】
【提出日】平成29年11月22日(2017.11.22)
【手続補正１】
【補正対象書類名】明細書
【補正対象項目名】０００８
【補正方法】変更
【補正の内容】
【０００８】
上記課題を解決するために、この発明に係るホームドア装置は、扉体を進退させて、通路を開閉する引き戸式のホームドア装置であって、扉体の戸先に配置された当接部材と、当接部材の扉体に対する取り付け角度を変更する角度調整機構とを備えるものである。
【手続補正２】
【補正対象書類名】特許請求の範囲
【補正対象項目名】全文
【補正方法】変更
【補正の内容】
【特許請求の範囲】
【請求項１】
扉体を進退させて、通路を開閉する引き戸式のホームドア装置であって、
前記扉体の戸先に配置された当接部材と、
前記当接部材の前記扉体に対する取り付け角度を変更する角度調整機構とを備える
ホームドア装置。
【請求項２】
前記角度調整機構は、ヒンジである
請求項１に記載のホームドア装置。
【請求項３】
前記当接部材は、前記扉体に回転自在に支持される
請求項１に記載のホームドア装置。
【請求項４】
前記当接部材は、樹脂部材によって構成される
請求項１に記載のホームドア装置。
【請求項５】
前記当接部材は、前記扉体との間に前記当接部材の本体よりも柔軟なクッション部を有する
請求項１に記載のホームドア装置。